(57)【要約】【課題】魚の周囲に発生させた水流の波動によって、視覚に頼ることなく魚の興味を誘うことができるルアーを提供する。【解決手段】錘となるヘッド２と、ヘッド２の上端から突出した状態で形成されるハリス接続用リング部３と、ヘッド２の後部に基端部が設けられ先端に針先部５を備えた針本体４とを備え、ルアー８の口先部１４に装着されるジグヘッド１であって、ヘッド２の後部に接続された針本体４の基端部から伸びる直線部に回転自在に設けられるスクリュー６を備えているので、スクリュー６が回転することによって、ルアー８の口先部１４から後方に向かってルアー８の周りに水流１７が発生する。水流１７の波動が魚の興味を誘うので、視覚に頼らなくても魚の興味を誘うルアー８とすることができる。【選択図】図６
2012050336.tif 000002
【特許請求の範囲】
【請求項１】
錘となるヘッドと、ヘッドの上端から突出した状態で形成されるハリス接続用リング部と、ヘッドの後部に基端部が設けられ先端に針先部を備えた針本体とを備え、ルアーの口先部に装着されるルアー用ジグヘッドであって、
ヘッドの後部に接続された針本体の基端部から伸びる直線部に回転自在に設けられるスクリューを備えてなることを特徴とするルアー用ジグヘッド。
【発明の詳細な説明】
【技術分野】
【０００１】
本発明は、ルアーを装着するジグヘッドの技術に関する。
【背景技術】
【０００２】
従来からルアーに止着するジグヘッドは開示されている。
特許文献１に記載されるジグヘッドでは、水中への投げ入れ時に、竿が回転したり、水中でルアーが水の抵抗を受けたり、魚がくわえて引っ張ったりして、針本体に装着したルアーが針先部に後退して釣り針から脱落することを防止するために、針本体にワームストッパーが設けられている。
【０００３】
特許文献２には、錘が鉛などの有害物質を含まないようにして、錘が障害物に引っ掛かって放置された場合などに公害を引き起こすことがないジグヘッドが記載されている。
【先行技術文献】
【特許文献】
【０００４】
【特許文献１】特開２００１−２８９４７号公報
【特許文献２】特開２００１−６９８９１号公報
【発明の概要】
【発明が解決しようとする課題】
【０００５】
特許文献１または特許文献２に記載されるものは、ジグヘッドに繋がれたハリスが引っ張られると、ジグヘッドに止着されたルアー自体が水中で引っ張られて振動し波動を生じさせる。ところがルアー自体の振動によって生じる波動は、実際の魚の波動とは異なり、十分に魚の興味を誘うことができないという問題があった。水が濁っている場所、あるいは水深の深い場所などの光が当たらない場所で使用する場合には、周囲の魚がルアーを視覚的に認識することが難しいので、魚の興味を誘うことがさらに難しくなる。
【０００６】
本発明の目的は、魚の周囲に発生させた水流の波動によって、視覚に頼ることなく魚の興味を誘うことができるルアーを提供することである。
【課題を解決するための手段】
【０００７】
この課題を解決するために本発明は、錘となるヘッドと、ヘッドの上端から突出した状態で形成されるハリス接続用リング部と、ヘッドの後部に基端部が設けられ先端に針先部を備えた針本体とを備え、ルアーの口先部に装着されるルアー用ジグヘッドであって、ヘッドの後部に接続された針本体の基端部から伸びる直線部に回転自在に設けられるスクリューを備えている。
【発明の効果】
【０００８】
請求項１記載の発明によれば、ルアーの口先部に装着されるルアー用ジグヘッドの後部に設けられた針本体の基端部から伸びる直線部に回転自在に設けられるスクリューを備えており、スクリューが回転することによって、ルアーの口先部から後方に向かってルアーの周りに水流が発生するので、ルアーの周囲に発生させた水流の波動によって、視覚に頼ることなく魚の興味を誘うことができる。
【図面の簡単な説明】
【０００９】
【図１】ジグヘッド１の正面図である。
【図２】スクリュー６の正面図である。
【図３】リング部材７の正面図である。
【図４】ルアー８にジグヘッド１を装着した状態を示す外観図である。
【図５】ヘッド２と釣り針９とが一体成形された状態を示す外観図である。
【図６】水流１７が発生した状態のルアー８を示す外観図である。
【発明を実施するための形態】
【００１０】
以下、本発明の第１の実施形態について図１〜図６に基づいて説明する。図１は、ジグヘッドの正面図である。図２は、スクリューの正面図である。図３は、リング部材の正面図である。図４は、ルアー８にジグヘッド１を装着した状態を示す外観図である。図５は、ヘッド２と釣り針９とが一体成形された状態を示す外観図である。図６は、水流１７が発生した状態のルアー８を示す外観図である。
【００１１】
ジグヘッド１は、錘となるヘッド２と、ヘッド２の上端から突出した状態で形成されるハリス接続用リング部３と、ヘッド２の後部に基端部が設けられ先端に針先部５を備えた針本体４と、スクリュー６と、リング部材７とを備える。
【００１２】
ヘッド２は金型を用いて成型されるが、ハリス接続用リング部３と針本体４とが一体に連結された釣り針９をヘッド２が成形される金型に入れておく。この状態で加熱圧縮してヘッドが成形されると、図５に示すようにハリス接続用リング部３と針本体４とがヘッド２から露出されるように形成される。
【００１３】
釣り針９は、鉄などの金属製であり、ハリス接続用リング部３の基端部と針本体４とが直角になるように一本の線材で形成される。
ハリス接続用リング部３は、先端部が曲げられてリング状に形成されており、ハリス１０が繋がれる。
【００１４】
ハリス接続用リング部３の基端部と直角になるように連設された針本体４は、Ｕ字状に曲げられており、先端部に針先部５が形成されている。
スクリュー６はメッキ加工がされた金属製であり、回転中心部に針本体４に装着するための貫通孔１１が形成されている。スクリュー６の羽１２は、貫通孔１１に対して対称に２枚形成されており、針先部５から嵌め込まれて針本体４の基端部まで運ばれヘッド２に隣接した状態で設置される。スクリュー６の貫通孔１１周縁部には、ヘッド２に当接する段付き部１８が形成されている。これによってスクリュー６が回転するときに段付き部１８がヘッド２と接触し、スクリュー６とヘッド２との摩擦抵抗が軽減される。
【００１５】
スクリュー６が装着された針本体４には、リング部材７が針先部５側から装着される。金属製のリング部材７は、端面に向かって縮径された形状を有し、中心部に針本体４に装着するための貫通孔１３が形成されている。リング部材７は、スクリュー６の段付き部１８裏面側に、縮径されたテーパ部が当接した状態で針本体４の基端部に設置される。これによってスクリュー６の位置決めがされるとともに、スクリュー６とリング部材７との接触面が限定されスクリュー６の摩擦抵抗が軽減される。
【００１６】
さらにルアー８が針本体４に装着される。本実施例ではルアー８が魚の形をしたものについて説明するが、もちろんこれに限定されるものではなく、魚以外の形のものでもよい。ルアー８の口先部１４を、Ｕ字状に曲げられた針先部５に突き刺して、ルアー８をしごきながら針先部５から針本体４の基端部に送っていく。そしてルアー８の口先部１４がリング部材７に当接した状態で針先部５をルアー８の背びれ側に突出させる。このようにしてルアー８が針本体４に装着される。なお、針本体４の一定範囲には糸１５が巻かれており、針本体４に装着されたルアー８が安定した状態で固定され、針本体４から脱落することが防止される。
【００１７】
ハリス接続用リング部３に繋がれたハリス１０が引っ張られると、ルアー８の上流側に設けられたスクリュー６が回転し、スクリュー６の下流側には水流１７が形成される。水流１７は、ルアー８の周囲を囲むように口先部１４から尾ひれ１６に向かって形成され、水流１７によって波動が生じている。水流１７の波動が周囲の魚の興味を誘う。このように水流１７の波動が魚の興味を誘うので、水が濁っている場合、あるいは水深の深い場所で使用する場合などのようにルアー８を視覚的に認識することが難しい場合であっても魚を引き寄せることができる。
【００１８】
なお、スクリュー６はメッキ加工がされているので、視界が良好な場合には回転するスクリュー６が光を反射し視覚的にも魚の興味を誘うことが可能である。また、ルアー８が、たとえばポリ塩化ビニルに、フタル酸ジイソニル，アジビン酸ジオクチルなどの可塑剤を加えた柔軟性を有する軟質樹脂で形成されている場合には、水流１７がルアー８の周囲に形成されるとルアー８の尾ひれ１６部分が左右に振れて、より実際の魚に近い動きとなり、視覚的に魚の興味を誘うことができる。
【００１９】
このように、錘となるヘッド２と、ヘッド２の上端から突出した状態で形成されるハリス接続用リング部３と、ヘッド２の後部に基端部が接続され先端に針先部５を備えた針本体４とを備え、ルアー８の口先部１４に装着されるジグヘッド１であって、ヘッド２の後部に接続された針本体４の基端部から伸びる直線部に回転自在に設けられるスクリュー６を備えているので、スクリュー６が回転することによって、ルアー８の口先部１４から後方に向かってルアー８の周りに水流１７が発生する。水流１７の波動が魚の興味を誘うので、視覚に頼らなくても魚の興味を誘うルアー８とすることができる。
【符号の説明】
【００２０】
１    ジグヘッド
２    ヘッド
３    ハリス接続用リング部
４    針本体
５    針先部
６    スクリュー
７    リング部材
８    ルアー
９    釣り針
１０    ハリス
１１，１３    貫通孔
１２    羽
１４    口先部
１５    糸  
１６    尾ひれ
１７    水流
１８    段付き部
【図１】
2012050336.tif 000003
【図２】
2012050336.tif 000004
【図３】
2012050336.tif 000005
【図４】
2012050336.tif 000006
【図５】
2012050336.tif 000007
【図６】
2012050336.tif 000008